(57)【特許請求の範囲】
【請求項１】
光源又は光源を有する光源ユニットが挿入される光源挿入穴と、該光源挿入穴に並設され螺子が挿入される螺子挿入穴と、を有し、前記螺子により光源装置のベース部材に固定される光源支持部材であって、
前記光源挿入穴は、前記光源又は光源ユニットが嵌合する嵌合部と、該嵌合部と前記螺子挿入穴との間に設けられた延設部と、を有し、
前記延設部は、その前記光源挿入穴と前記螺子挿入穴の並設方向に垂直な方向の最大径が、前記螺子挿入穴のそれ以上である光源支持部材。
【請求項２】
前記延設部は、前記螺子挿入穴に連続している請求項１に記載の光源支持部材。
【請求項３】
前記延設部は、前記光源挿入穴と前記螺子挿入穴の並設方向に垂直な方向の径が前記嵌合部に向かって階段状に大きくなる階段状拡径部を有する請求項２に記載の光源支持部材。
【請求項４】
前記延設部は、前記光源挿入穴と前記螺子挿入穴の並設方向に垂直な方向の径が前記嵌合部に近づくにつれて大きくなるテーパー状拡径部を有する請求項２又は３に記載の光源支持部材。
【請求項５】
前記階段状拡径部又はテーパー状拡径部は、前記嵌合部に密接して設けられている請求項３又は４に記載の光源支持部材。
【請求項６】
光源と、
前記光源又は前記光源を有する光源ユニットが挿入される光源挿入穴と、該光源挿入穴に並設され螺子が挿入される螺子挿入穴と、を有する光源支持部材と、
前記光源支持部材が前記螺子により固定されるベース部材と、を備え、
前記光源挿入穴は、前記光源又は光源ユニットが嵌合する嵌合部と、該嵌合部と前記螺子挿入穴との間に設けられた延設部と、を有し、
前記延設部は、その前記光源挿入穴と前記螺子挿入穴の並設方向に垂直な方向の最大径が、前記螺子挿入穴のそれ以上である光源装置。
【請求項７】
前記光源は、窒化物半導体レーザ素子を有する請求項６に記載の光源装置。
【発明の詳細な説明】
【技術分野】
【０００１】
本発明は、光源装置の光源を支持する光源支持部材に関するものである。
【背景技術】
【０００２】
近年、光源として半導体レーザ（ＬＤ：Laser Diode）や発光ダイオード（ＬＥＤ：Light Emitting Diode）等の半導体発光素子を搭載した光源装置が、光ディスク装置の書き込み・読み取り用光源や各種の照明等に利用されている。そして、このような光源装置は通常、光源の前方にレンズや拡散板等の光学部品が設置され、その光軸やビーム平行度、配光等の光学特性が制御されている。したがって、このような光源装置において、光源と光学部品の相対的な位置を精度良く調整し、更にその調整された位置を安定して維持することは、非常に重要な設計要素である。
【０００３】
例えば特許文献１（特に図１６〜１９）に記載された光源装置は、複数の半導体レーザを圧入固定する嵌合孔を備えたベースと、該ベースに固定され各半導体レーザの前面に設けられたコリメータレンズと、ビーム合成用光学素子と、該ベースに取り付けられるケースと、を有し、前記ベースは、前記嵌合孔を有する中央の光源部と、前記ケースを取り付けるねじ用の孔を有する両側の固定部と、を剛性の低い狭小部で接続した構成となっている。そして、このような光源装置によれば、温度変化によるベースの変形を小さく抑えることができ、ビームピッチを高精度に保つことができる、と記載されている。
【先行技術文献】
【特許文献】
【０００４】
【特許文献１】特開平１１−１５４７７３号公報
【発明の概要】
【発明が解決しようとする課題】
【０００５】
しかしながら、特許文献１に記載された光源装置のように、ベースの光源部と固定部との距離を大きく取れば、ベースの変形により半導体レーザに掛かる応力を低減することができるが、その反面、ベース及び装置全体の寸法が大きくなってしまう。
【０００６】
そこで、本発明は、かかる事情に鑑みてなされたものであり、光源を高精度に固定でき、小型化が可能な光源支持部材及び光源装置を提供することを目的とする。
【課題を解決するための手段】
【０００７】
上記課題を解決するために、本発明に係る光源支持部材は、光源又は光源を有する光源ユニットが挿入される光源挿入穴と、該光源挿入穴に並設され螺子が挿入される螺子挿入穴と、を有し、前記螺子により光源装置のベース部材に固定される光源支持部材であって、前記光源挿入穴は、前記光源又は光源ユニットが嵌合する嵌合部と、該嵌合部と前記螺子挿入穴との間に設けられた延設部と、を有し、前記延設部は、その前記光源挿入穴と前記螺子挿入穴の並設方向に垂直な方向の最大径が、前記螺子挿入穴のそれ以上であることを特徴とする。
【０００８】
また、本発明に係る光源装置は、光源と、前記光源又は前記光源を有する光源ユニットが挿入される光源挿入穴と、該光源挿入穴に並設され螺子が挿入される螺子挿入穴と、を有する光源支持部材と、前記光源支持部材が前記螺子により固定されるベース部材と、を備え、前記光源挿入穴は、前記光源又は光源ユニットが嵌合する嵌合部と、該嵌合部と前記螺子挿入穴との間に設けられた延設部と、を有し、前記延設部は、その前記光源挿入穴と前記螺子挿入穴の並設方向に垂直な方向の最大径が、前記螺子挿入穴のそれ以上であることを特徴とする。
【発明の効果】
【０００９】
本発明によれば、光源又は光源を有する光源ユニットが挿入される光源挿入穴に螺子挿入穴を近設しても、螺子の締め付けにより光源挿入穴に掛かる応力を低減することができるので、光源を高精度に固定でき、小型化が可能な光源支持部材及び光源装置を提供することができる。
【図面の簡単な説明】
【００１０】
【図１】本発明の一実施の形態に係る光源装置の概略背面図（ａ）と、そのＡ−Ａ断面における概略断面図（ｂ）である。
【図２】本発明の一実施の形態に係る光源支持部材の概略背面図（ａ）と、そのＢ−Ｂ断面における概略断面図（ｂ）である。
【図３】螺子の締め付けにより光源支持部材に掛かる応力を説明する概略背面図（ａ）及び（ｂ）である。
【図４】本発明の一実施の形態に係る光源支持部材の別の一例を示す概略背面図（ａ）〜（ｃ）である。
【発明を実施するための形態】
【００１１】
以下、発明の実施の形態について適宜図面を参照して説明する。但し、以下に説明する光源支持部材及び光源装置は、本発明の技術思想を具体化するためのものであって、本発明を以下のものに限定しない。特に、以下に記載されている構成要素の寸法、材質、形状、その相対的配置等は、特定的な記載がない限り、本発明の範囲をそれのみに限定する趣旨ではなく、単なる説明例にすぎない。なお、各図面が示す部材の大きさや位置関係等は、説明を明確にするために誇張していることがある。
【００１２】
＜実施の形態１＞
図１は、実施の形態１に係る光源装置の概略図であって、図１（ａ）は、その概略背面図であり、図１（ｂ）は、図１（ａ）におけるＡ−Ａ断面を示す概略断面図である。図１に示す例の光源装置１００は、主として、光源１０を有する光源ユニット２０と、該光源ユニットを支持する光源支持部材３０と、該光源支持部材が螺子５０により固定されるベース部材４０と、により構成されている。
【００１３】
光源ユニット２０は、主として、光源１０を保持する光源保持部材２１と、光源１０から出射される光が入射される光学部品１５を保持する光学部品保持部材２２と、光源保持部材２１と光学部品保持部材２２を連結させる連結部材２３と、により構成されている。より具体的には、光源１０は、半導体レーザ素子がステムに実装された半導体レーザ装置であって、光源保持部材２１は、その半導体レーザ装置を保持するＬＤホルダである。光学部品１５は、半導体レーザ素子の出射光を略平行光に変換するコリメータレンズであって、光学部品保持部材２２は、そのコリメータレンズを保持するレンズホルダである。連結部材２３は、筒状（環状）の部材であって、半導体レーザ装置１０とコリメータレンズ１５の相対位置の調整がなされて、レンズホルダ２２を嵌合させ保持し、ＬＤホルダ２１と接合されている。
【００１４】
図２は、実施の形態１に係る光源支持部材の概略図であって、図２（ａ）は、その概略背面図であり、図２（ｂ）は、図２（ａ）におけるＢ−Ｂ断面を示す概略断面図である。図１，２に示すように、光源支持部材３０は、光源ユニット２０が挿入される光源挿入穴３１と、この光源挿入穴に並設され螺子５０が挿入される螺子挿入穴３３と、を有している。また、ベース部材４０は、螺子５０が螺入される螺子穴（雌螺子）を有している。光源支持部材３０は、光源挿入穴３１に光源ユニット２０が挿入され該ユニットを支持し、螺子挿入穴３３に挿入される螺子５０により、ベース部材４０に固定される。
【００１５】
そして、光源支持部材の光源挿入穴３１は、光源ユニット２０が嵌合する嵌合部３１１と、この嵌合部３１１と螺子挿入穴３３の間に設けられた延設部３１５を有している。この延設部３１５によって、螺子５０の締め付けによる応力の嵌合部３１１への伝達が抑制され、光源ユニット２０に掛かる応力を低減することができる。したがって、光源ユニット２０が挿入、支持される光源挿入穴３１に螺子挿入穴３３を近設しても、光源１０を高精度に固定することができるため、光源支持部材３０を小型化でき、ひいては光源装置の小型化を図ることができる。なお、本明細書における「並設」とは、光源挿入穴３１と螺子挿入穴３３が離間して設けられている場合だけでなく、螺子挿入穴３３が光源挿入穴３１と連続して設けられている場合にも適用されるものとする。
【００１６】
以下、光源支持部材３０の各穴の態様について詳述する。なお、光源１０の光軸をｚ軸とし、光軸に垂直な面内（ｘｙ面内）において互いに垂直な２つの軸をｘ軸、ｙ軸とする。また、ここでは、ｘ軸方向は、光源支持部材３０の背面視つまりｘｙ平面視において、光源挿入穴３１と螺子挿入穴３３の並設方向、より詳細には嵌合部３１１と螺子挿入穴３３を結ぶ最短の直線に平行な方向とする。特に、光源支持部材３０の背面視において、ｘ軸方向が嵌合部３１１と螺子挿入穴３３の中心同士を結ぶ直線に平行な方向となる形態が好適である。なお、以下に示す各穴の形状は、光源支持部材３０の背面視におけるものとする。また、光源挿入穴３１の嵌合部３１１と延設部３１５は連続して設けられるため、嵌合部３１１及び延設部３１５の形状は、その輪郭から想定されるものとする。延設部３１５に連続する場合の螺子挿入穴３３の形状についても同様である。
【００１７】
図３（ａ）及び（ｂ）は各々、螺子の締め付けにより光源支持部材に掛かる応力を説明する概略背面図である。まず、図３（ａ）は、単に、略円形の螺子挿入穴３３が略円形の光源挿入穴３１に近設された光源支持部材３０の場合を示すものである。つまり、この光源挿入穴３１は、延設部３１５が設けられておらず、嵌合部３１１のみで構成されている。図示するように、螺子５０を螺子挿入穴３３に挿入して締め付け、光源支持部材３０をベース部材４０に締結させたとき、螺子５０の座面の押圧力により光源支持部材３０に応力が掛かる。この応力は、螺子５０を中心として放射状に光源支持部材３０を伝達し、螺子５０から離れるにつれて徐々に緩和されていくが、光源挿入穴３１（嵌合部３１１）と螺子挿入穴３３との中心間距離ｄが短い場合には光源挿入穴３１にも及び、場合によっては光源挿入穴３１に変形を生じる。特に、この応力は、光源挿入穴３１の螺子５０に近い部分（図中点線で囲む領域：応力集中領域３９）に集中して掛かる。このように光源挿入穴３１に応力が掛かると、この光源挿入穴３１に挿入、支持される光源ユニット２０にも応力が掛かり、光軸ズレ等、装置の光学特性を低下させる虞がある。
【００１８】
次に、図３（ｂ）は、図３（ａ）に示す例の光源支持部材３０の光源挿入穴３１に、図２に示す延設部３１５を追加した場合を示すものである。この場合、螺子挿入穴３３に挿入された螺子５０の締め付けにより、応力は、螺子５０を中心として放射状に光源支持部材３０を伝達するが、延設部３１５の螺子５０に近い部分に集中して掛かるため、嵌合部３１１に応力が伝達するのを抑制することができる。すなわち、延設部３１５の存在によって、応力集中領域３９は、嵌合部３１１及び該嵌合部に嵌合する光源ユニット２０から離れて位置するようになる。これにより、螺子５０の締め付けによる嵌合部３１１に掛かる応力を低減することができ、光源ユニット２０を高精度に固定することができる。
【００１９】
図４（ａ）〜（ｃ）は各々、実施の形態１の光源支持部材の別の一例を示す概略背面図である。まず、図４（ａ）に示す例の光源支持部材３０において、延設部３１５は、螺子挿入穴３３に連続して設けられている。図１，２に示す例の光源支持部材３０も同様である。このように、延設部３１５が螺子挿入穴３３に連続して設けられることにより、螺子挿入穴３３から嵌合部３１１に向かって伝達される応力をｙ軸方向に拡散させ、嵌合部３１１に掛かる応力を低減することができる。また、延設部３１５は、光源支持部材３０の背面視において、嵌合部３１１と螺子挿入穴３３を結ぶ最短の直線の少なくとも一部を含むように設けられることが好ましく、その直線の全てを含むように螺子挿入穴３３と連続して設けられることがより好ましい。螺子５０の締め付けによる応力は、嵌合部３１１の螺子５０に近い部分に大きく掛かるため、その部分を切り欠くように延設部３１５が設けられることで、嵌合部３１１に掛かる応力を効果的に低減することができる。さらに、図４（ａ）に示す例の光源支持部材３０において、延設部３１５のｙ軸方向の径はｘ軸方向に略一定で螺子挿入穴３３のそれと略同じになっており、延設部３１５のｘ軸に平行な中央線は螺子挿入穴３３の中心を通っている。このような形態の延設部３１５であれば、フライスによる螺子挿入穴３３と延設部３１５の掘穿を連続的に行え、簡便に形成することができる。また、光源支持部材３０のｘ軸方向の固定位置の微調整も可能である。
【００２０】
次に、図４（ｂ）に示す例の光源支持部材３０において、延設部３１５は、その一部にｙ軸方向の径が嵌合部３１１に近づくにつれて大きくなるテーパー状拡径部３１７を有している。これにより、上述のｙ軸方向の径が略一定である場合に比べ、嵌合部３１１に掛かる応力をより低減することができる。このテーパー状拡径部３１７は、延設部３１５の一部又は全部に形成でき、そのｙ軸方向の径の変化は直線状、曲線状のいずれでもよい。延設部３１５のｙ軸方向の径は、ｘ軸方向において、略一定であってもよいが、このように変化させてもよい。特に、延設部３１５は、そのｙ軸方向の最大径Ｌが、螺子挿入穴３３のそれＤ以上であることが好ましい。これにより、螺子挿入穴３３から嵌合部３１１に向かって伝達される応力を延設部３１５により遮断しやすいので、嵌合部３１１に応力が伝達するのを抑制しやすい。
【００２１】
また図２に示すように、延設部３１５は、ｙ軸方向の径が嵌合部３１１に向かって階段状（ステップ状）に大きくなる階段状拡径部３１６を有していることが好ましい。この階段状拡径部３１６のｙ軸方向に略平行に延伸された穴側面により、螺子挿入穴３３から嵌合部３１１に向かって伝達される応力を遮断しやすいので、嵌合部３１１に応力が伝達するのを抑制しやすい。なお、ここでいう「階段状」とは、図２に示すような１段の変化の場合も含むものとする。さらには、階段状拡径部３１６又はテーパー状拡径部３１７は嵌合部３１１に密接して設けられていることが好ましい。これにより、これら拡径部３１６，３１７を設けても延設部３１５のｘ軸方向の径を小さくすることができるので、嵌合部３１１への応力の伝達を抑制しやすく、且つ嵌合部３１１に螺子挿入穴３３を近設させ光源支持部材３０を小型化しやすい。なお、これら拡径部３１６，３１７は、螺子５０の座面の外側に位置するのがより効果的である。また、延設部３１５は、階段状拡径部３１６とテーパー状拡径部３１７の両方を有してもよい。
【００２２】
また、図４（ｃ）に示す例の光源支持部材３０のように、延設部３１５は、螺子挿入穴３３から離間して設けられてもよい。このような形態であれば、光源支持部材３０と螺子５０の座面の接触面積を大きくしやすく、螺子５０による光源支持部材３０とベース部材４０との締結が安定しやすい。
【００２３】
延設部３１５は、ｚ軸方向に貫通する貫通穴として設けられる。延設部３１５の径は、ｚ軸方向において、略一定であることが好ましいが、段付きやテーパー状に変化していてもよい。延設部３１５は、ｘ軸方向に短くｙ軸方向に長い形状とすることで、嵌合部３１１と螺子挿入穴３３を近設させて光源支持部材３０を小型化しやすく、また螺子５０の締め付けによる応力が嵌合部３１１に伝達するのを抑制しやすい。このため、延設部３１５の形状は、ｙ軸方向に長い矩形状や線状（加工上、角部や端部が丸みを帯びていてもよい）、楕円状、又はこれらの組み合わせ（例えば略Ｌ字状、９０°回転した略Ｔ字状、十字状等）であることが好ましい。
【００２４】
嵌合部３１１は、ｚ軸方向に貫通する貫通穴又はｚ軸方向に掘穿された凹部として設けられ、その形状は、光源ユニット２０との嵌合のため、光源ユニット２０の外形に沿っていることが好ましい。特に、滑らかな嵌合を得るために、嵌合部３１１は略円形であることが好ましい。なお、嵌合部３１１は、光源ユニット２０を当接させて位置決めや溶接するために、図２等に示すような突起３１２を有するものでもよい。
【００２５】
螺子挿入穴３３は、ｚ軸方向に貫通する貫通穴として設けられ、螺子５０の座面による押圧力が螺子挿入穴３３の周囲に略均等に掛かるように、略円形であることが好ましい。また、螺子挿入穴３３は、ｙ軸方向の固定位置の調整しろを有する、ｙ軸方向に延伸された長穴、例えば図４（ｃ）に示すように所謂小判穴にしてもよい。螺子挿入穴３３は、螺子５０の頭部の突出量を小さくするために、図４（ｂ）に示すように凹部内に形成されてもよい。螺子５０は、嵌合部３１１に掛かる応力を考慮すれば、光源ユニット２０の大きさと同等以下のものを使用することが好ましく、螺子挿入穴３３の最大径は、嵌合部３１１のそれより小さいことが好ましい。なお、嵌合部３１１と螺子挿入穴３３との中心間距離ｄは、例えばＭ２の螺子を使用する場合、好ましくは６．５ｍｍ以上９．０ｍｍ以下、より好ましくは６．５ｍｍ以上７．０ｍｍ以下とする。この範囲であれば、光源１０に接続する給電ケーブルのスペースを確保しながら、延設部３１５が良好に効果を奏し装置の小型化を図りやすい。
【００２６】
螺子挿入穴３３は、１つであってもよいが、光源支持部材３０をベース部材４０に安定して固定するために、複数設けられ、嵌合部３１１に対して略対称に各々配置されていることが好ましい。さらに、延設部３１５は、その各螺子挿入穴３３に対応して複数設けられていることが好ましい。なお、この「対称」とは、光源支持部材３０の背面視において、嵌合部３１１の中心に対して点対称（回転対称）、及び嵌合部３１１の中心を通る直線に対して線対称を含むものとする。
【００２７】
上述のような光源装置１００では、図１（ａ）に示すように、光源支持部材３０が、嵌合部３１１に光源ユニット２０を嵌合させ支持し、螺子挿入穴３３に挿入される螺子５０によりベース部材４０に固定された状態において、延設部３１５が空隙となって、該空隙に光源ユニット２０の一部が露出されることになる。この延設部３１５による空隙が、通気孔のように機能し、光源ユニット２０の放熱性を高めることもできる。
【００２８】
以上、光源支持部材３０が光源ユニット２０を支持する場合について記述したが、これに限らず、光源支持部材３０は、その嵌合部３１１に光源１０を嵌合させ、光源１０を直接支持してもよい。また、光源ユニット２０は、光学部品１５とその保持部材２２を有さず、光源１０とその保持部材２１により構成されるものでもよい。
【００２９】
以下、本発明の光源装置の各構成要素について詳述する。
【００３０】
（光源）
光源１０は、ＬＤやＬＥＤ等の半導体発光素子、又は有機ＥＬ（Electro-Luminescence）素子がステム、リードフレーム、又はパッケージ基体に実装された発光装置のほか、ハロゲンランプ等のランプ光源などを用いることができる。特に、紫外光や短波長の可視光を発光可能な窒化物半導体を用いた発光素子は、高精度、高分解能の光学系に好適な光源であるが、そのような高い性能を実現するために高精度の光学調整が必要であり、またその固定精度も重要であるため、本発明の光源装置の構造が特に効果を奏する。
【００３１】
（光源保持部材）
光源保持部材２１は、各種のホルダを用いることができる。光源保持部材２１は、光源の放熱性、機械的強度、組立精度などの観点から、ステンレス鋼のほか、クラッド材、例えば鉄材料でクラッドした鋼材を用いて構成することができる。また、光源保持部材２１への光源１０の固定は、光源保持部材２１に光源１０と嵌合する穴を設け、該穴内に光源１０を嵌入してレーザ溶接により行うことが好ましい。このほか、螺子止め、圧入又は接着剤の塗布により固定してもよい。
【００３２】
（光学部品）
光学部品１５には、レンズ、ミラー、プリズム、光学フィルタ、拡散板などの光学素子のほか、レーザロッドや波長変換用の非線形光学結晶などの光学結晶、あるいは光ファイバなどを用いることができる。特に、光学部品１５が開口数（ＮＡ）の高い、例えば０．４≦ＮＡのコリメータレンズの場合、レンズの光軸方向の位置精度がビーム平行度の精度に大きく影響し、高精度の位置調整及び高い固定精度が必要となるため、本発明の光源装置の構造が特に効果を奏する。
【００３３】
（光学部品保持部材）
光学部品保持部材２２は、各種のホルダを用いることができる。光学部品保持部材２２は、光学部品１５の光軸を中心軸とする筒状体であり、その内部に光学部品１５を保持し、光学部品１５への入射光を光軸方向にそのまま通過させる形態が、装置の小型化には好ましい。また、光学部品保持部材２２の外面の断面形状は、連結部材２３に嵌入して光軸方向に滑らかな位置調整が可能なように、略円形であることが好ましい。さらに、光学部品保持部材２２は、その先端部を一時的に支持して光軸方向の位置調整を行うため、連結部材２３より突出していることが好ましい。なお、光学部品保持部材２２への光学部品１５の固定は、その内面に光学部品１５の位置決めをするための突起を設け、該突起に光学部品１５を当接させ、接着剤の塗布などにより行うことができる。
【００３４】
（連結部材）
連結部材２３は、光軸方向に光学部品保持部材２２と嵌合する形態が好ましく、スリーブ等、筒状や環状の部材が好ましい。また、連結部材２３の形状は、上述のように光学部品保持部材２２との嵌合のため、内面が略円形であることが好ましく、さらに貫通溶接するためには外面も略円形である円筒形が好ましい。また、光学部品保持部材２２を連結部材２３に嵌入する構造が装置の小型化には好ましいが、これに限らず、連結部材２３を光学部品保持部材２２に嵌入する構造であってもよい。なお、この連結部材２３は、光源保持部材２１と光学部品保持部材２２が一体化され１つの部材で設けられる又は螺子等で連結される場合には省略可能である。
【００３５】
（光源支持部材）
光源支持部材３０の形状は、板状やブロック状に形成することでき、装置の小型化のためには板状であることが好ましい。また、例えば光源挿入穴３１が設けられる部分を螺子挿入穴３３が設けられる部分より厚くする等、段差を有するものでもよい。光源支持部材３０への光源１０又は光源ユニット２０の固定は、レーザ溶接のほか、螺子止め、圧入又は接着剤の塗布などにより行ってもよい。
【００３６】
以上、光学部品保持部材２２、連結部材２３、光源支持部材３０は、レーザ溶接が可能な材料で構成されることが好ましく、例えばステンレス鋼（オーステナイト系、フェライト系、マルテンサイト系）、鉄鋼材料（機械構造用炭素鋼、一般構造用圧延鋼）、スーパーインバー、コバールなどを用いることができ、特に温度依存性の点でスーパーインバー、コバール等が好ましい。溶接性、耐食性が優れ比較的安価なステンレス鋼も適している。また、これらの部材のレーザ溶接する部分は、貫通溶接が可能な厚さとすることが好ましく、好ましくは０．３０ｍｍ以下、より好ましくは０．２５ｍｍ以下とする。
【００３７】
（ベース部材）
ベース部材４０は、光源支持部材３０が固定される部材である。ベース部材４０は、種々の形状を有するものでよく、箱状、筒状、ブロック状、Ｌ字状、Ｔ字状、板状等のブラケットなどが挙げられる。ベース部材は、ステンレス鋼（オーステナイト系、フェライト系、マルテンサイト系）、鉄鋼材料（機械構造用炭素鋼、一般構造用圧延鋼）、などを用いることができる。
【００３８】
（螺子）
螺子５０は、頭部と、螺子山が刻まれた円筒状の軸と、を有するものであれば、限定されない。頭部形状は、なべ（平）が好ましいが、皿、トラスでもよい。頭部頂面の穴は、六角穴が好ましいが、十字穴でもよい。螺子５０は、ステンレス鋼、ニッケルクロム鋼等の金属製が好ましいが、プラスチック製でもよい。また適宜、平座金やばね座金を介してもよい。
【実施例】
【００３９】
＜実施例１＞
以下、本発明に係る実施例について詳述する。なお、本発明は以下に示す実施例のみに限定されないことは言うまでもない。
【００４０】
実施例１の光源装置は、図１に示す例の構造を有する、外部共振器型レーザ装置用の光源である。光源１０は、前方端面に反射防止膜（ＡＲコート：Anti-Reflection Coating）、後方端面に高反射率の反射膜を各々有する発光中心波長４０５ｎｍの窒化物半導体レーザ素子が直径５．６ｍｍのステムに実装された半導体レーザ装置である。光源保持部材２１は、ステンレス製で、その略中央に段付き穴が設けられた円盤状のＬＤホルダであり、半導体レーザ装置１０は、その段付き穴に嵌入されレーザ溶接により固定されている。光学部品１５は、ＮＡが約０．６のコリメータレンズである。光学部品保持部材２２は、ステンレス製で円筒状のレンズホルダであり、コリメータレンズ１５はその内部に接着剤の塗布により固定されている。連結部材２３は、レンズホルダ２２を嵌入するステンレス製の環状のスリーブである。この連結部材２３は、半導体レーザ装置１０とコリメータレンズ１５のｘｙ平面内の相対位置を調整（光軸調整）し、レーザ溶接によりＬＤホルダ２１に固定されている。さらに、レンズホルダ２２は、半導体レーザ装置１０とコリメータレンズ１５のｚ軸方向の相対位置を調整（ビーム平行度調整）し、レーザ溶接により連結部材２３に固定されている。このようにして、光源ユニット２０が構成されている。
【００４１】
光源支持部材３０は、ステンレス製で、１７ｍｍ×９ｍｍ、厚さ１．７ｍｍの平板状のブラケットであり、その略中央に直径８ｍｍの略円形の嵌合部３１１を有する光源挿入穴３１と、この光源挿入穴を挟んで２つの直径Ｄが２．２ｍｍの略円形の螺子挿入穴３３と、が略一直線上に並設されている。なお、嵌合部３１１と螺子挿入穴３３との中心間距離ｄは、６．５ｍｍである。また、嵌合部３１１の背面側端部には、光源ユニット２０を位置決めするために、突出幅１ｍｍ、厚さ０．２５ｍｍの突起３１２が設けられている。光源挿入穴３１の延設部３１５は、嵌合部３１１に密接する、ｘ軸方向の径が１．２５ｍｍ、ｙ軸方向の径Ｌが４ｍｍの略矩形状の階段状拡径部３１６（角部はＲ０．５ｍｍ）を有し、更に螺子挿入穴３３と同じ径で螺子挿入穴に連続している。光源ユニット２０は、光源支持部材３０の嵌合部３１１に、ＬＤホルダ２１の一部が突起３１２に当接するまで前面側から嵌入され、背面側からレーザ溶接することにより光源支持部材３０に固定されている。ベース部材４０は、ステンレス製で、厚さ２ｍｍの略箱状のブラケットであり、光源支持部材３０が取り付けられる面の略中央には、光源ユニット２０が貫通する直径８．５ｍｍの略円形の穴が設けられ、それを挟んで２つの螺子穴が設けられている。そして、光源ユニット２０を支持する光源支持部材３０は、螺子挿入穴３３を通してベース部材の螺子穴に螺入されるＭ２×３．０ｍｍの螺子５０の締め付けにより、ベース部材４０に固定されている。以上のように、本実施例１の光源装置は構成されている。
【００４２】
なお、外部共振器型レーザ装置では、上述のような光源装置の前方に、回転機構に搭載された回折格子を配置し、該回折格子にコリメータレンズからの出射光を照射して、その回折光の一部を選択的にレーザ素子に帰還させてレーザ発振させる。このような外部共振器型レーザ装置において、安定したレーザ発振を得るためには、コリメータレンズからの出射光の光軸を高精度に調整且つ維持することが必要となるが、本実施例１の光源装置によれば、それを実現することができる。
【産業上の利用可能性】
【００４３】
本発明の光源支持部材及び光源装置は、ホログラフィックデータストレージなど高密度光記録・再生装置用光源のほか、レーザディスプレイ、レーザプリンタ、光通信デバイスなどの光源、並びに一般照明や内照式看板、外照式看板等の種々の照明用光源、ＬＥＤディスプレイ、液晶表示装置などのバックライト光源、信号機、照明式スイッチ、各種インジケータ、並びに各種光センサ等に好適に利用することができる。
【符号の説明】
【００４４】
１０…光源
１５…光学部品
２０…光源ユニット
２１…光源保持部材
２２…光学部品保持部材
２３…連結部材
３０…光源支持部材（３１…光源挿入穴（３１１…嵌合部，３１２…突起、３１５…延設部，３１６…階段状拡径部、３１７…テーパー状拡径部）、３３…螺子挿入穴、３９…応力集中領域）
４０…ベース部材
５０…螺子
１００…光源装置
【図１】
0005673094.tif 000002
【図２】
0005673094.tif 000003
【図３】
0005673094.tif 000004
【図４】
0005673094.tif 000005